(57)【要約】【課題】瓶の胴部に貼り付けたラベルを保護し、容易に形成できる瓶保持体を提供する。【解決手段】瓶２０の底部２１が挿入される挿入孔３２ｈ，３３ｈが複数設けられ、前記底部の径方向の移動を規制する規制部３２，３３と、瓶２０を底側から支持する支持部３１とを有し、規制部３２，３３と支持部３１とを折り畳んだ状態で、規制部３２，３３及び支持部３１の縁部のうち少なくとも一部が箱体１０の内側面に当接するように箱体１０の底に配置される底部保持部３０Ａと、瓶２０の中間部２３が挿入される挿入孔４１ｈが複数設けられ、前記中間部の径方向の移動を規制する板状の規制部４１と、折線を介して規制部４１と連続し、規制部４１よりも瓶２０の頭部２４側において箱体２０の内側面に板面が当接する複数の折返部４２と、を有する中間部規制部４０を備える。【選択図】図１
2014101131.tif 000002
【特許請求の範囲】
【請求項１】
ラベルが貼られた胴部と、前記胴部と頭部との間に位置し前記頭部側に向かうにつれて細くなる中間部と、を有する瓶を複数個、前記胴部の周囲に隙間を設けた状態で箱体内に縦置きで保持する瓶保持体であって、
前記瓶の底部を保持する底部保持部と、前記瓶の前記中間部の移動を規制する中間部規制部と、を備え、
前記底部保持部は、一枚の板状部材を折り畳んで形成されるとともに、
前記瓶の前記底部が挿入される第１挿入孔が複数設けられ、前記底部の径方向の移動を規制する第１規制部と、
前記第１規制部と連続し、前記瓶を底側から支持する支持部と、を有し、
前記第１規制部と前記支持部とが積層された状態で、前記第１規制部及び前記支持部の縁部のうち少なくとも一部が前記箱体の内側面に当接するように前記箱体の底に配置され、
前記中間部規制部は、
前記瓶の前記中間部が挿入されるとともに前記瓶の前記胴部よりも小径である第２挿入孔が複数設けられ、前記中間部の径方向の移動を規制する板状の第２規制部と、
折線を介して前記第２規制部と連続し、前記第２規制部よりも前記瓶の前記頭部側において、前記箱体の内側面に板面が当接する複数の折返部と、を有すること
を特徴とする瓶保持体。
【請求項２】
前記底部保持部、前記瓶、及び前記中間部規制部を前記箱体に順次収容し、前記第２挿入孔に前記瓶の前記中間部を当接させること
を特徴とする請求項１に記載の瓶保持体。
【請求項３】
前記底部保持部、前記瓶、及び前記中間部規制部を前記箱体に順次収容し、さらに前記箱体の蓋を閉じた状態において、複数の前記折返部の上端が前記蓋の下面に当接すること
を特徴とする請求項１又は請求項２に記載の瓶保持体。
【請求項４】
前記第１規制部は、前記一枚の板状部材が折り畳まれることによって複数層に重なり合い、最下層の下面が前記支持部の上面に当接すること
を特徴とする請求項１から請求項３のいずれか一項に記載の瓶保持体。
【請求項５】
前記底部保持部は、折線を介して前記第１規制部及び前記支持部に連接する連接部を備え、
前記支持部は、前記一枚の板状部材が折り畳まれることによって複数層に重なり合い、前記連接部を介し前記第１規制部と所定間隔を有すること
を特徴とする請求項１から請求項３のいずれか一項に記載の瓶保持体。
【請求項６】
前記底部保持部を折り畳んだ状態において、
前記支持部が、前記第１規制部の下面に端部が当接することによって前記第１規制部の下向きの変形を規制する第１支持片を有するか、
又は、
前記第１規制部が、前記支持部の上面に端部が当接することによって前記第１規制部の下向きの変形を規制すること第２支持片を有すること
を特徴とする請求項５に記載の瓶保持体。
【請求項７】
前記支持部は、前記底部保持部を折り畳んだ状態において、
前記第１規制部に形成された切欠部に係止し、前記第１規制部の上向きの変形を規制する係止片を有すること
を特徴とする請求項５又は請求項６に記載の瓶保持体。
【発明の詳細な説明】
【技術分野】
【０００１】
本発明は、箱体の内部で複数の瓶を保持する瓶保持体に関する。
【背景技術】
【０００２】
従来、飲料等が封入された瓶を箱体に縦置きで収容する際、箱体の内部に瓶保持体を設置して瓶の移動を抑制することが行われている。
【０００３】
例えば、特許文献１には、抜き部を空けた抜き板に、波板の波筋と交差させて不抜き板を貼り合わせ、抜き部に商品を部分的に嵌め込んで固定する緩衝材（天積層体及び地積層体）について開示されている。前記した商品が一升瓶である場合、緩衝材である地積層体が一升瓶の底部側から嵌め込まれ、天積層体が一升瓶の頭部側から嵌め込まれた状態で外箱に収容される。
【先行技術文献】
【特許文献】
【０００４】
【特許文献１】特開２０００−２０３６４６号公報
【発明の概要】
【発明が解決しようとする課題】
【０００５】
ところで、飲料等が封入された瓶を贈答物として注文する際、瓶の胴部に貼り付けられるラベルのデザインやメッセージを注文者が指定できるようにするサービスが考えられている。このようなサービスを行う場合、特注されたラベルの保護が重要になる。
また、各瓶の移動（径方向の移動、及び軸方向の移動）を抑制するための瓶保持体を製造する際の手間やコストを少なくすることが望まれる。
【０００６】
しかしながら、特許文献１に記載の構造では、緩衝材を形成する際、複数の板状部材（例えば、ダンボール）を貼り合わせる必要がある。そうすると、複数の板状部材を貼り合わせる際の位置決めや接着に手間やコストを要するおそれがある。
【０００７】
本発明は、前記した問題に鑑みて成されたものであり、瓶の胴部に貼り付けたラベルを保護し、容易に形成できる瓶保持体を提供することを課題とする。
【課題を解決するための手段】
【０００８】
本発明は、ラベルが貼られた胴部と、前記胴部と頭部との間に位置し前記頭部側に向かうにつれて細くなる中間部と、を有する瓶を複数個、前記胴部の周囲に隙間を設けた状態で箱体内に縦置きで保持する瓶保持体であって、前記瓶の底部を保持する底部保持部と、前記瓶の前記中間部の移動を規制する中間部規制部と、を備え、前記底部保持部は、一枚の板状部材を折り畳んで形成されるとともに、前記瓶の前記底部が挿入される第１挿入孔が複数設けられ、前記底部の径方向の移動を規制する第１規制部と、前記第１規制部と連続し、前記瓶を底側から支持する支持部と、を有し、前記第１規制部と前記支持部とが積層された状態で、前記第１規制部及び前記支持部の縁部のうち少なくとも一部が前記箱体の内側面に当接するように前記箱体の底に配置され、前記中間部規制部は、前記瓶の前記中間部が挿入されるとともに前記瓶の前記胴部よりも小径である第２挿入孔が複数設けられ、前記中間部の径方向の移動を規制する板状の第２規制部と、折線を介して前記第２規制部と連続し、前記第２規制部よりも前記瓶の前記頭部側において、前記箱体の内側面に板面が当接する複数の折返部と、を有することを特徴とする。
【０００９】
ここで、「第１規制部と支持部とが積層された状態」とは、底部保持部を折り畳んだ状態で、上下方向において第１規制部と支持部とが重なり合う（接触する）場合の他、上下方向において第１規制部と支持部とが所定の間隔を有する場合も含むものとする。
【００１０】
このような構成によれば、瓶の底部が挿入される第１挿入孔が複数設けられた第１規制部によって底部の径方向の移動が規制され、瓶の中間部が挿入される第２挿入孔が複数設けられの第２規制部によって中間部の径方向の移動が規制される。したがって、各瓶の胴部の周囲に隙間を確保することが可能となり、搬送中に箱体が振動した場合でも、瓶の胴部に貼り付けられたラベルが他の瓶の胴部や箱体の内側面に接触することを防止することができる。
【００１１】
また、底部保持部及び中間部規制部のそれぞれは一枚の板状部材を折り畳んで形成される。したがって、例えば、複数の板状部材を貼り合せて積層する場合と比較して、底部保持部及び中間部規制部を容易に形成することができる。
【００１２】
また、前記底部保持部、前記瓶、及び前記中間部規制部を前記箱体に順次収容し、前記第２挿入孔に前記瓶の前記中間部を当接させることが好ましい。
【００１３】
このような構成によれば、底部保持部、瓶、及び中間部保持部が箱体に順次収容された状態で、第２挿入孔に瓶の中間部が当接する。したがって、中間部保持部によって、瓶の径方向及び軸方向の移動を規制することができる。
【００１４】
また、前記底部保持部、前記瓶、及び前記中間部規制部を前記箱体に順次収容し、さらに前記箱体の蓋を閉じた状態において、複数の前記折返部の上端が前記蓋の下面に当接することが好ましい。
【００１５】
このような構成によれば、第２規制部の一方側を下方に移動させ、他方側を上方に移動させるような力のモーメントが生じた場合でも、前記他方側の折返部の上端が箱体の蓋から下向きの抗力を受ける。これによって、中間部規制部の規制部が箱体の底面と平行な状態に保たれるため、瓶の径方向及び軸方向の移動を効果的に規制することができる。
また、折返部の板面が、第２規制部よりも瓶の頭部側（つまり、瓶の底部とは逆側）において箱体の内側面に当接する。したがって、折返部が瓶の胴部に貼り付けられたラベルに接触することを防止することができる。
【００１６】
また、前記第１規制部は、前記一枚の板状部材が折り畳まれることによって複数層に重なり合い、最下層の下面が前記支持部の上面に当接することが好ましい。
【００１７】
このような構成によれば、第１規制部が複数層に重なり合っているため、箱体の内側面との当接面積を大きくすることができるとともに、板状部材が複数層に重なった分の厚さ（高さ）の第１挿入孔で瓶の周囲が囲まれる。したがって、搬送時等に箱体が振動した場合でも、瓶の底部が径方向に移動することを適切に防止できる。
また、第１規制部の最下層の下面が支持部の上面に当接している。したがって、瓶の収容時等に瓶の底面が第１規制部の上面に接触し、瓶から下向きの力を受けた場合でも、第１規制部が変形し難くなる。
【００１８】
また、前記底部保持部は、折線を介して前記第１規制部及び前記支持部に連接する連接部を備え、前記支持部は、前記一枚の板状部材が折り畳まれることによって複数層に重なり合い、前記連接部を介し前記第１規制部と所定間隔を有することが好ましい。
【００１９】
このような構成によれば、支持部は、複数層に重なり合っているため、箱体の内側面との当接面積を大きくし、箱体に対して底部保持部の相対位置をより確実に固定することができる。また、複数層に重なった支持部によって瓶を支持するため、瓶の損傷を防止することができる。
また、支持部が、連接部を介し上下方向において第１規制部と所定間隔を有するため、瓶の外周面のうち第１挿入孔の内周面と接触する部位の高さ（瓶底からの高さ）が確保される。したがって、瓶の底部が径方向に移動し難くなる。
【００２０】
また、前記底部保持部を折り畳んだ状態において、前記支持部が、前記第１規制部の下面に端部が当接することによって前記第１規制部の下向きの変形を規制する第１支持片を有するか、又は、前記第１規制部が、前記支持部の上面に端部が当接することによって前記第１規制部の下向きの変形を規制すること第２支持片を有することが好ましい。
【００２１】
このような構成によれば、１規制部の下面に端部が当接する第１支持片、又は、支持部の上面に端部が当接する第２支持片を有することによって、第１規制部の下向きの変形を規制することができる。
したがって、瓶を出し入れする際や搬送時等に下向きの力を受けたとしても、第１規制部の板面は平面状に保たれる。その結果、瓶の底部が径方向に移動することを防止し、瓶に貼り付けられたラベルの損傷を防止することができる。
【００２２】
また、前記支持部は、前記底部保持部を折り畳んだ状態において、前記第１規制部に形成された切欠部に係止し、前記第１規制部の上向きの変形を規制する係止片を有することが好ましい。
【００２３】
このような構成によれば、係止片によって第１規制部の上向きの移動が規制される。したがって、瓶を出し入れする際や搬送時等に上向きの力を受けたとしても、第１規制部の板面は平面状に保たれる。その結果、瓶の底部が径方向に移動することを防止し、瓶に貼り付けられたラベルの損傷を防止することができる。
【発明の効果】
【００２４】
本発明によれば、瓶の胴部に貼り付けたラベルを保護し、容易に形成できる瓶保持体を提供することができる。
【図面の簡単な説明】
【００２５】
【図１】本発明の第１実施形態に係る瓶保持体を右上前方から見下ろした斜視図である。
【図２】（ａ）は底部保持部の展開図であり、（ｂ）は底部保持部を右上前方から見下ろした斜視図である。
【図３】（ａ）は中間部規制部の展開図であり、（ｂ）は中間部規制部を右上前方から見下ろした斜視図である。
【図４】図１のＸ−Ｘ矢視断面図である。
【図５】（ａ）は本発明の第２実施形態に係る底部保持部の展開図であり、（ｂ）は底部保持部を右上前方から見下ろした斜視図である。
【図６】図５（ｂ）の底部保持部を右方から視た場合の側面図である。
【図７】図５の底部保持部と図３の中間保持部とで瓶を保持して箱体に収納した状態において、箱体の左右側面と平行な平面で切断した場合の断面図である。
【図８】本発明の変形例に係る瓶保持体が備える底部保持部の側面図である。
【発明を実施するための形態】
【００２６】
本発明の実施形態について、適宜図面を参照しながら詳細に説明する。説明において、同一の要素には同一の符号を付し、重複した説明を省略する。また、向きを説明する場合、図１等に示す上下前後左右に基づいて説明する。ここで、「上」及び「下」は、箱体１０の内部に縦置きで収納された瓶２０の「頭部側」及び「底部側」にそれぞれ一致する。
【００２７】
≪第１実施形態≫
図１は、瓶保持体を右上前方から見下ろした斜視図である。なお、図１では箱体１０を仮想線（二点鎖線）で描いている。
本実施形態に係る瓶保持体１Ａの説明に先立って、箱体１０及び瓶２０について説明する。
【００２８】
箱体１０は、商品である複数の瓶２０を収納するための箱であり、例えば左右方向に長尺な矩形状の板状部材（ダンボール等）を折り曲げたり、折り込んだりすることによって形成される。図１に示す例において箱体１０は、底側壁１１の床面から起立する前側壁１２、後側壁１３、左側壁１４、及び右側壁１５を有している。なお、前記した各壁面を総称する場合、単に側壁と記す。箱体１０は、それぞれの側壁の上端から折り曲げ可能な矩形状の上蓋１６（蓋）を４つ備えている。
それぞれの上蓋１６を閉じた状態において、箱体１０の内部には直方体状の収容空間ができ、当該収容空間に瓶保持体１Ａ（底部保持部３０Ａ及び中間部規制部４０）と、複数の瓶２０と、が収容される。ここで、複数の瓶２０は、箱体１０の内部に縦置きで収容される。
【００２９】
なお、箱体１０の構造は、瓶保持体１Ａ及び瓶２０を収容できるものであれば、特に限定されるものではない。例えば、図示は省略するが、上面が開口した箱本体と下面が開口した箱状の上蓋との二部材で箱体１０を構成してもよい。
【００３０】
瓶２０は、酒類等の飲料や調味料などが封入された容器であり、ガラスや陶器等で構成されている。瓶２０は、底部２１、胴部２２、肩部２３ａ、首部２３ｂ、頭部２４をこの順に備えている。胴部２２は、例えば一定の径に形成された円筒状の部位である。胴部２２の外周面にはラベル２５が貼り付けられている。底部２１は、円筒状の胴部２２を一方側において閉塞する部位である。肩部２３ａは、胴部２２と首部２３ｂとの間（胴部２２の他方側）の領域であり、本実施形態では首部２３ｂに向かって徐々に径が小さくなる円錐台形状に形成されている。首部２３ｂは、胴部２２よりも細い略円筒状の部位である。頭部２４は、首部２３ｂの先端の開口部を含む部位である。本実施形態では、頭部２４に王冠２６を設置して開口部を閉塞している。
以下では、肩部２３ａ及び首部２３ｂの領域を中間部２３と記すことがあるものとする。すなわち、中間部２３は胴部２２と頭部２４との間に位置し、頭部２４側に向かうにつれて細くなっている。
【００３１】
なお、瓶２０の形状は、胴部２２よりも細い首部２３ｂを有していれば、特に限定されるものではない。例えば、胴部２２から頭部２４にかけて徐々に細くなるような、肩部２３ａと首部２３ｂとの区別が明確でない形状の瓶であってもよい。また、王冠２６以外の方式（例えば、コルク栓やねじ式キャップ等）で頭部２４の開口部を閉塞してもよい。
以下では、箱体１０に収容されるとともに、瓶保持体１Ａによって保持される任意の数の瓶２０を、単に瓶２０と記す。
【００３２】
＜瓶保持体の構成＞
瓶保持体１Ａは、箱体１０内に収容される複数（本実施形態では、１６本）の瓶２０が、径方向及び軸方向に移動しないように瓶２０を保持するものである。なお、図１では、瓶保持体１Ａに４本の瓶２０が保持された状態を描いているが、瓶保持体１Ａは、１６本以下の任意の本数の瓶２０を保持可能である。
瓶保持体１Ａは、底部保持部３０Ａと、中間部規制部４０と、を有している。
【００３３】
図１に示すように、底部保持部３０Ａは、挿入孔３２ｈ，３３ｈ（第１挿入孔）を介して挿入される瓶２０を下方から支持するとともに、瓶２０の底部２１が径方向に移動しないように保持するものであり、箱体１０の底に収容される。
中間部規制部４０は、挿入孔４１ｈ（第２挿入孔）を介して挿入される瓶２０の中間部２３（肩部２３ａ及び首部２３ｂ）が軸方向及び径方向に移動しないように保持するものであり、箱体１０の上部領域に収容される。
【００３４】
（底部保持部）
図２（ａ）は底部保持部の展開図であり、図２（ｂ）は底部保持部を右上前方から見下ろした斜視図である。なお、図２（ａ）では、展開した瓶保持体１Ａを上から視て、谷折れ線を破線ｖ１，ｖ２で示している（図３（ａ）も同様）。
図２（ａ）に示すように、底部保持部３０Ａは、１枚の矩形状の板状部材（ダンボール等）を折り畳んで形成され、支持部３１と、規制部３２，３３（第１規制部）と、を有している。
【００３５】
支持部３１は、瓶２０を底側から支持するための板状部材であり、本実施形態では正方形状に形成されている。支持部３１の各辺の長さは、箱体１０の底面形状（本実施形態では、正方形）に対応している。つまり、底部保持部３０Ａを折り畳んで上から箱体１０に収容した状態で、支持部３１の縁部（切欠部３１ｐを除く）が箱体１０の内側面に当接するようになっている（図４参照）。
【００３６】
正方形状の支持部３１の四隅には、切欠部３１ｐが形成されている。これによって、底部保持部３０Ａを折り畳んだ状態で箱体１０に収容する際、箱体１０の底面及び内側面と、支持部３１の下面（図２（ｂ）の紙面裏側の面）との間の空間に溜まっている空気を、切欠部３１ｐと箱体１０の内側面との間の隙間を介して外部に逃がすことができる。その結果、スムーズに底部保持部３０Ａを箱体１０に収容することができる。
【００３７】
図２（ｂ）に示すように、支持部３１は、その上面に瓶２０の底面が接触し、瓶２０を底側から支持する。したがって、搬送時等に箱体１０が上下方向に振動しても、当該振動を吸収して瓶２０を保護できるように、支持部３１等は所定の弾性を有する部材（例えば、ダンボール）で構成することが好ましい。
【００３８】
図２（ａ）に示すように、支持部３１の後端側の辺に、谷折れ線ｖ１を介し、規制部３２（第１規制部）が連続して設けられている。規制部３２と支持部３１との境界のうち、谷折れ線ｖ１以外の境界は切り込まれている。これによって、規制部３２の折り畳みを容易に行うことができる。
規制部３２は、瓶２０の底部２１の径方向の移動を規制する板状部材である。規制部３２の縁部の形状は、前記した支持部３１の形状と略同一であり、本実施形態では四隅に切欠部３２ｐが設けられた正方形状となっている。これによって、規制部３２を谷折れ線ｖ１で紙面手前側に折り返し、支持部３１の上に畳み込むと、支持部３１の縁部と規制部３２の縁部とが平面視で重なった状態になる。
【００３９】
規制部３２には、瓶２０の底部２１が挿入される挿入孔３２ｈ（第１挿入孔）が１６個形成されている。挿入孔３２ｈは、瓶２０の胴部２２の外径よりも僅かに大きい径を有する円形状の孔である。それぞれの挿入孔３２ｈは、前後方向及び左右方向において略等間隔で配置されるとともに、規制部３２の外縁と所定の間隔を空けて配置されている。これによって、瓶保持体１Ａに瓶２０が保持された状態において、瓶２０の胴部２２の周囲に所定の隙間を設けることができる（図１参照）。
【００４０】
規制部３２の後端側の辺には、左右方向中央に切欠部３２ｇが形成されている。切欠部３２ｇには、規制部３２が紙面手前側に折り畳まれ、さらに規制部３３が紙面手前側に折り畳まれる際、連接部３４が係合する。
【００４１】
支持部３１の前端側の辺には、連接部３４を介して規制部３３（第１規制部）が連接（連続）して設けられている。規制部３３は、規制部３２と同様に、瓶２０の底部２１の径方向の移動を規制する板状部材である。規制部３３の外縁及び１６個の挿入孔３３ｈ（第１挿入孔）は、前記した規制部３２と同様の形状である。
【００４２】
つまり、規制部３３を谷折れ線ｖ１で紙面手前側に折り返して支持部３１の上に折り畳み、さらに規制部３３が谷折れ線ｖ２で紙面手前側に折り返して規制部３２の上に折り畳んだ状態において、互いに対応する挿入孔３２ｈ，３３ｈの位置が平面視で重なるようになっている。これによって、板状部材二段分の厚さ（高さ）の壁面で瓶２０の周囲が囲まれるため、瓶２０の底部２１が径方向に移動し難くなる。
【００４３】
規制部３３と支持部３１とは、連接部３４を除いて前後方向で所定間隔だけ離れている。前記した所定間隔は、板状部材である規制部３２の厚さに対応している。これによって、規制部３２の厚みによって規制部３３が折り畳み難くなることを防止できる。前記したように、規制部３３を折り畳む際、連接部３４は規制部３２に形成された切欠部３２ｇに係合する。
【００４４】
図２（ｂ）に示すように、規制部３２，３３が順次折り畳まれた状態において、規制部３３の上面が、瓶２０のラベル２５よりも低くなっている。したがって、挿入孔３２ｈ，３３ｈの内周面がラベル２５に接触することはない。
【００４５】
（中間部規制部）
図３（ａ）は中間部規制部の展開図であり、図３（ｂ）は中間部規制部を右上前方から見下ろした斜視図である。図３（ａ）に示すように、中間部規制部４０は、１枚の矩形状の板状部材（ダンボール等）を折り返して形成され、規制部４１（第２規制部）と、折返部４２と、を有している。
【００４６】
規制部４１（第２規制部）は、瓶２０の中間部２３が挿入される挿入孔４１ｈ（第２挿入孔）が複数設けられ、瓶２０の中間部２３の径方向及び軸方向の移動を規制する板状部材である。前記したように、瓶２０の中間部２３は、肩部２３ａ及び首部２３ｂを意味し、頭部２４側に向かうにつれて細くなっている。
【００４７】
本実施形態において規制部３３は、正方形状に形成されている。規制部３３の各辺の長さは、箱体１０の底面形状（本実施形態では、正方形）に対応している。これによって、折返部４２を折り返して上から箱体１０に収容した状態において、折返部４２の板面が箱体１０の内側面に当接する（図４参照）。
【００４８】
規制部４１には、瓶２０の中間部２３が挿入される挿入孔４１ｈ（第２挿入孔）が１６個設けられている。挿入孔４１ｈは、瓶２０の中間部２３のうち軸線方向で所定位置の外径に対応した径を有する円形状の孔である。挿入孔４１ｈは、底部保持部３０Ａ、瓶２０、及び中間部規制部４０を箱体１０に順次収容した状態で、瓶２０の軸線が箱体１０の底面に対して垂直となるように配置されている。これによって、瓶２０が縦置きの状態で保持される。
【００４９】
本実施形態では、挿入孔４１ｈの径を、瓶２０の肩部２３ａと首部２３ｂとの境界における瓶２０の外径と略等しくなるようにした（つまり、挿入孔４１ｈの径は、瓶２０の胴部よりも小径である）。図３（ｂ）に示すように、箱体１０に収容された瓶２０の上から中間部規制部４０を嵌め込むと、瓶２０の中間部２３のうち肩部２３ａと首部２３ｂとの境界付近において、瓶２０の外周面と挿入孔４１ｈの内周面とが接触する。ここで、瓶２０の中間部２３は、頭部２４に向かうにつれて小径になっている（換言すると、底部２１に向かうにつれて大径になっている）ため、前記した接触の後、中間部規制部４０の下方への移動が規制される。
【００５０】
４つの折返部４２は、谷折れ線ｖ３を介して規制部４１と連続する板状部材であり、正方形状である規制部４１の各辺から延在している。中間部規制部４０を箱体１０に収容する際、それぞれの折返部４２は、その板面が規制部４１に対して垂直となるように紙面手前側に折り返される。つまり、折返部４２が折り返された状態において中間部規制部４０の外形は、箱状になっている（図３（ｂ）参照）。
【００５１】
本実施形態において折返部４２は、左右で線対称な台形状を呈しており、下底の長さは規制部４１の一辺の長さに等しく、上底の長さは下底の長さよりもわずかに短くなっている。これによって、所定の厚みを有する折返部４２を折り返す際、隣り合う他の折返部４２と干渉することを防止できる。
また、台形状の折返部４２の高さ（つまり、折返部４２の外側端と規制部４１の縁部との距離）は、中間部規制部４０が箱体１０に嵌め込まれ、瓶２０との接触によって下方への移動が規制された状態において、折返部４２の上端が箱体１０の開口端に略一致する長さとなっている（図４参照）。
【００５２】
＜瓶保持体の組立手順＞
図４は、図１のＸ−Ｘ矢視断面図である。なお、図４では、上蓋１６の図示を省略している。図２（ａ）に示す規制部３２を紙面手前側に折り返して支持部３１の上に重ね合わせ、さらに規制部３３を紙面手前側に折り返して規制部３２の上に重ね合わせ、箱体１０の底に収容する。ちなみに、規制部３２，３３を順次折り畳む際、接着材等を用いてもよい。
【００５３】
さらに、所定数の瓶２０の底部２１を挿入孔３２ｈ，３３ｈに挿入する。この状態において瓶２０の底面が支持部３１の上面に当接し、瓶２０が支持部３１によって支持される。この状態において、瓶２０に貼り付けられたラベル２５は、規制部３３よりも上方に位置している。
次に、挿入孔４１ｈに瓶２０の中間部２３を挿入しつつ中間部規制部４０を箱体１０内に嵌め込む。このとき、規制部４１よりも瓶２０の頭部２４側において、折返部４２の外側の板面が箱体１０の内側面に当接するように中間部規制部４０を収容する。
【００５４】
ちなみに、通常、箱体１０には複数本（例えば、１６本）の瓶２０が収容される。したがって、平面視で複数個所において中間部規制部４０の下方移動が規制されるため、規制部４１の板面は箱体１０の床面と略平行に保たれる。
次に、箱体１０の上蓋１６を閉める。この状態において、折返部４２の上端は上蓋１６の裏面（天井面）に当接している（図１参照）。
【００５５】
＜効果＞
本実施形態では、１枚の板状部材を折り畳むことによって底部保持部３０Ａを形成し、１枚の板状部材を折り返すことによって中間部規制部４０を形成する。したがって、例えば、複数の板状部材を貼り合せて積層する場合と比較して、底部保持部３０Ａ及び中間部規制部４０を容易に形成できるとともに、板状部材に要するコストを削減できる。
【００５６】
また、底部保持部３０Ａを折り畳んだ状態で、その縁部が箱体１０の内側面に当接し、かつ、底部保持部３０Ａは側面視で３枚の板状部材が積層された状態になるため、箱体１０の内側面との当接面積を充分に確保することができる。したがって、搬送時等に箱体１０が前後又は左右方向に振動しても、箱体１０内部での底部保持部３０Ａの相対位置が保たれ、瓶２０の径方向への移動が規制される。その結果、瓶２０の胴部２２に貼り付けられたラベル２５の損傷を防止することができる。
【００５７】
また、底部保持部３０Ａを折り畳んだ状態で、規制部３２の挿入孔３２ｈと規制部３３の挿入孔３３ｈとが重なり合う。これによって、板状部材二段分の厚さ（高さ）の壁面で瓶２０の周囲が囲まれるため、瓶２０の底部２１が径方向に移動し難くなる。
また、底部保持部３０Ａは、瓶２０を底側から支持する支持部３１を有しており、箱体１０の底側壁１１を含めると瓶２０の下側に二層分の板状部材が存在する。したがって、箱体１０の底側壁１１及び支持部３１がクッションの役割を果たし、例えば箱体１０を置く際の衝撃によって瓶２０の底部２１が損傷することを防止できる。
【００５８】
また、下層側に位置する規制部３２の下面が支持部３１の上面に当接している。したがって、収容時等に瓶２０の底面が規制部３３の上面に接触し、瓶２０から下向きの力を受けた場合でも、底部保持部３０Ａが変形し難くなる。
また、折返部４２を折り返して箱体１０に収容した状態において、折返部４２の板面が箱体１０の内側面に当接する。したがって、箱体１０が上下方向に振動した場合でも、折返部４２の板面と箱体１０の内壁面との間で生じる摩擦抵抗によって折返部４２の移動が規制される。その結果、規制部４１の板面と箱体１０の床面とが平行に保たれ、瓶２０の移動を適切に防止することができる。
【００５９】
また、折返部４２の外側端と規制部４１の縁部との距離は、中間部規制部４０が箱体１０に嵌め込まれ、瓶２０との接触によって下方への移動が規制された状態において、折返部４２の上端が箱体１０の開口端に略一致する長さとなっている。したがって、規制部４１の一方側を下方に移動させ、他方側を上方に移動させるような力のモーメントが生じた場合でも、当該他方側の折返部４２の上端が箱体１０の上蓋１６から下向きの抗力を受ける。これによって、中間部規制部４０の規制部４１が箱体１０の底面と平行であり、挿入孔４１ｈの内周面が瓶２０の中間部２３に当接した状態を維持することができる。
【００６０】
また、中間部規制部４０に形成された複数の挿入孔４１ｈの径は、瓶２０の中間部２３のうち軸線方向の所定箇所の外径に対応している。したがって、箱体１０に収容された瓶２０が軸線方向上向きに移動することを規制できる。換言すると、中間部規制部４０が軸線方向下向きに移動してラベル２５を損傷することを防止できる。
また、中間部規制部４０が箱体１０に収容されると、規制部４１よりも瓶２０の頭部２４側において、折返部４２の外側の板面が箱体１０の内側面に当接する。これによって、折返部４２が瓶２０の胴部２２に貼り付けられたラベル２５に接触することを防止できる。
【００６１】
このように、本実施形態に係る瓶保持体１Ａによれば、底部保持部３０Ａと中間部規制部４０とによって、瓶２０の径方向及び軸方向の移動が規制される。したがって、瓶２０の胴部２２が互いに接触したり、瓶２０の胴部２２が箱体１０の内側面に接触したりすることを防止できる。また、前記したように、底部保持部３０Ａや中間部規制部４０が瓶２０の胴部２２に貼り付けられたラベル２５に接触することはないため、ラベル２５の損傷を確実に防止することができる。
【００６２】
≪第２実施形態≫
第２実施形態に係る瓶保持体１Ｂは、第１実施形態に係る瓶保持体１Ａと比較して底部保持部３０Ｂの形状が異なるが、中間部規制部４０の形状は第１実施形態と同様である。したがって、第１実施形態と異なる底部保持部３０Ｂについて説明し、中間部規制部４０の説明を省略する。
【００６３】
＜瓶保持体の構成（底部保持部）＞
図５（ａ）は本発明の第２実施形態に係る底部保持部の展開図であり、図５（ｂ）は底部保持部３０Ｂを右上前方から見下ろした斜視図である。
図５（ａ）に示すように、底部保持部３０Ｂは、１枚の矩形状の板状部材（ダンボール等）を折り畳んで形成され、規制部３６と、支持部３７，３８と、連接部３９ａ，３９ｂと、を有している。
【００６４】
なお、第１実施形態では、図２（ａ）に示すように、支持部３１を両側から挟むように２つの規制部３２，３３が連続し、規制部３２，３３を紙面手前側に順次折り畳んだ状態で箱体に収容する場合について説明した。
これに対して、第２実施形態では、図５（ａ）に示すように、規制部３６を両側から挟むように２つの支持部３７，３８が連続し、支持部３７，３８を紙面奥側に順次折り畳んだ状態で箱体１０に収容する。
【００６５】
規制部３６は、瓶２０の底部２１の径方向の移動を規制する板状部材であり、その外縁は、箱体１０の内側面に対応した正方形状となっている。なお、本実施形態では、規制部３６の四隅に切欠部を設けていない。
第１実施形態と同様に、規制部３６（第１規制部）には、瓶２０の底部２１が挿入される挿入孔３６ｈ（第１挿入孔）が１６個設けられている。それぞれの挿入孔３６ｈは、前後左右方向において略等間隔で配置されるとともに、規制部３６の外縁と所定の間隔を空けて配置されている。
【００６６】
規制部３６の一方（前端側及び後端側）の対辺は、連接部３９ａ，３９ｂを介してそれぞれ支持部３７，３８と連接（連続）している。また、規制部３６の他方の対辺には、前後方向中央に一対の切欠部３６ｐが形成されている。当該切欠部３６ｐには、底部保持部３０Ｂを折り畳んだ状態で、支持部３７の係止片３７ｐが嵌まるようになっている。
【００６７】
連接部３９ａは、規制部３６と支持部３７とを連接する板状部材であり、左右方向に長尺の矩形状となっている。連接部３９ａの各長辺は山折れ線ｎ１となっている。なお、本実施形態のように、規制部３６と支持部３７との間に連接部３９ａを設ける構成も、規制部３６と支持部３７とが連続している場合に含まれる。
【００６８】
前記したように、底部保持部３０Ｂは、支持部３７を紙面奥側に折り畳み、さらに支持部３８を紙面奥側に折り畳んで箱体１０の底に収容される。図５（ｂ）に示すように、この状態において規制部３６と支持部３７とは、上下方向において所定間隔を有している。当該所定間隔が、連接部３９ａの短辺の長さｒ１に対応している。
【００６９】
支持部３７は、瓶２０を底側から支持するための板状部材であり、規制部３６の外縁と同様の正方形状に形成されている。支持部３７のうち左端及び右端の対辺には、係止片３７ｐを折り返すための２条の切込み３７ｓが前後方向中央に入っており、それぞれの切込み３７ｓの終端間が谷折れ線ｖ４となっている。切込み３７ｓの長さ（深さ）は、規制部３６に形成された切欠部３６ｐの深さに対応している。
支持部３７，３８を紙面奥側に順次折り畳んで重ね合わせた後、谷折線ｖ４で紙面手前側に折返して係止片３７ｐを起立させると、規制部３６に形成された切欠部３６ｐに係止片３７ｐが嵌まり込む（図５（ｂ）参照）。
【００７０】
図６は、図５（ｂ）の底部保持部を右方から視た場合の側面図である。図６に示すように、係止片３７ｐを起立させた状態の高さは、規制部３６と支持部３７との上下方向の距離（つまり、連接部３９ａの短辺の長さ）よりも高くなっている。また、起立状態における係止片３７ｐの幅は、規制部３６と支持部３７との間において上下方向で略一定であり、規制部３６よりも上側では、上方に向かうにつれて幅広になっている。
【００７１】
また、図５（ａ）に示すように、支持部３７には、一対の係止片３７ｐよりも前後方向において規制部３６側の所定位置に一対の切欠部３７ｑが形成されている。それぞれの切欠部３７ｑには、底部保持部３０Ｂを折り畳んだ状態において、支持部３８に設けられた支持片３８ｑ（第１支持片）が嵌まり込むようになっている。
【００７２】
支持部３８は、瓶２０を底側から支持するための板状部材であり、規制部３６の外縁と同様の正方形状に形成されている。支持部３８の左右方向の対辺には、支持片３８ｑを折り返すための２条の切込み３８ｑが前後方向の所定位置（前記した切欠部３７ｑに対応する位置）に入っており、切込み３８ｑの終端間が谷折線ｖ５となっている。切込み３８ｓの長さ（深さ）は、支持部３７に形成された切欠部３７ｑの深さに対応している。
【００７３】
図５（ｂ）に示すように、支持部３７，３８を紙面奥側に順次折り畳んで重ね合わせた後、谷折線ｖ５で紙面手前側に折返して支持片３８ｑを起立させると、支持部３７に形成された切欠部３７ｑに支持片３８ｑが嵌まり込む。また、図６に示すように、折り畳み状態において支持片３８ｑの上端が規制部３６の下面に当接する。
これによって、例えば底部保持部３０Ｂに瓶２０を挿入する際、瓶２０の接触等により規制部３６が凹むことを防止できる。
【００７４】
＜瓶保持体の組立手順＞
図７は、図５の底部保持部と図３の中間保持部とで瓶を保持して箱体に収納した状態において、箱体の左右側面と平行な平面で切断した場合の断面図である。前記したように、底部保持部３０Ｂ（図５（ａ）参照）を折り畳んで支持部３７，３８を重ね合わせ、さらに係止片３７ｐを起立させて切込み３６ｐに嵌め込み、支持片３８ｑを起立させて切込み３７ｑに嵌め込んだ状態で、箱体１０の底に収容する。
【００７５】
その後、複数の瓶２０の底部２１を挿入孔３６ｈに挿入する。この状態において、規制部３６の上面はラベル２５よりも下方に位置している。さらに、第１実施形態と同様に、挿入孔４１ｈ（図１参照）に瓶２０の中間部２３を挿入しつつ中間部規制部４０を嵌め込み、箱体１０の上蓋１６を閉める。この状態において、折返部４２の上端は上蓋１６の裏面（天井面）に当接している。
【００７６】
＜効果＞
本実施形態に係る瓶保持体１Ｂでは、１枚の板状部材を折り畳むことによって底部保持部３０Ｂを形成し、１枚の板状部材を折り返すことによって中間部規制部４０を形成する。したがって、底部保持部３０Ｂ及び中間部規制部４０を容易に形成することができる。
【００７７】
また、底部保持部３０Ｂが折り畳まれて箱体１０の底に収容された状態において、支持部３７，３８が上下方向で重なり合う。したがって、瓶２０の底部２１の下側は、支持部３７，３８、及び箱体１０の底壁の三層構造になっている。このように、第１実施形態よりも支持部を一層分増やすことで、瓶２０の底部２１をより確実に保護することができる。
【００７８】
ちなみに、第１実施形態よりも薄い安価な板状部材で底部保持部３０Ｂを形成しても、三層構造の板状部材によって瓶２０の底部２１が保護される。
また、連接部３９ａ，３９ｂを設けたことによって、規制部３６と支持部３７とが上下方向において所定間隔ｒ１だけ離れる(図６参照)。したがって、第１実施形態よりも薄い安価な板状部材で底部保持部３０Ｂを形成しても、瓶２０の径方向の移動を適切に防止できる。
このように、本実施形態によれば、底部保持部３０Ｂに要するコストを低減することができる。
【００７９】
また、底部保持部３０Ｂを折り畳んだ状態で、連接部３９ａ，３９ｂの板面が箱体１０の内側面に当接するため、箱体１０の内側面との当接面積を充分に確保することができる。したがって、箱体１０が前後又は左右方向に振動しても箱体１０内部での底部保持部３０Ｂの相対位置が保たれ、瓶２０の径方向への移動が規制される。その結果、瓶２０の胴部２２に貼り付けられたラベル２５の損傷を防止することができる。
【００８０】
また、規制部３６と支持部３７，３８との間に連接部３９ａ，３９ｂを設けることによって、規制部３６と支持部３７とが上下方向において所定間隔だけ離れた状態になる。したがって、瓶２０が底部保持部３０Ｂによって保持された状態で、規制部３６の挿入孔３６ｈの内周面と瓶２０との接触部位の高さ（瓶底からの高さ）が確保される。その結果、搬送時等に箱体１０が前後左右の振動を受けても、瓶２０の底部２１が径方向に移動することを防止できる。
なお、規制部３６の上面は瓶２０のラベル２５よりも下方に位置するため、挿入孔３６ｈの内周面との接触によりラベル２５が損傷することはない。
【００８１】
また、切欠部３６ｐに嵌め込まれる係止片３７ｐが支持部３７に形成され、切欠部３７ｑに嵌め込まれる支持片３８ｑが支持部３８に形成されている。ここで、係止片３７ｐによって規制部３６の上向きの変形（側面視で山折り状となる変形）が規制され、支持片３８ｑによって規制部３６の下向きの変形（側面視で谷折り状となる変形）が規制される。したがって、規制部３６の板面を箱体の底面と平行に保ち、瓶２０の底部２１が径方向に移動することを防止できる。
また、係止片３７ｐによって規制部３６が係止されるため、底部保持部３０Ｂを折り畳む際に接着材等を用いる必要がなく、折り畳み作業に要する手間及びコストを低減することができる。
【００８２】
また、第１実施形態と同様に、中間部規制部４０によって瓶２０が径方向又は軸方向に移動することを防止できる。したがって、瓶２０の胴部２２に貼り付けられたラベル２５を確実に保護することができる。
【００８３】
≪変形例≫
以上、本発明に係る瓶保持体１Ａ，１Ｂについて、図面を参照して詳細に説明したが、本発明はこれらの実施形態に限定されるものではなく、本発明の趣旨を逸脱しない範囲で適宜変更可能である。
例えば、第１、第２実施形態では、瓶保持体１Ａ，１Ｂが１６本の瓶２０を保持可能である場合について説明したが、これに限らない。すなわち、瓶保持体１Ａ，１Ｂが保持可能な瓶２０の本数は、２本以上であれば何本でもよい。
【００８４】
また、第１、第２実施形態では、底部保持部３０Ａ，３０Ｂ及び中間部規制部４０に形成される挿入孔３２ｈ，３３ｈ（図２（ｂ）参照）、３６ｈ（図５（ｂ）参照）、４１ｈ（図３（ｂ）参照）が円形である場合について説明したが、これに限らない。すなわち、挿入孔の形状は、瓶保持体１Ａ，１Ｂに保持される瓶の形状に対応して適宜変更すればよく、例えば四角形や八角形であってもよい。この場合において、径方向とは、瓶の軸線に垂直である任意の方向を意味するものとする。
【００８５】
また、第１、第２実施形態では、底部保持部３０Ａ，３０Ｂの支持部３１，３７，３８及び規制部３２，３３，３６が平面視で正方形状である場合について説明したが、これに限らない。例えば、支持部及び規制部が平面視で矩形状であってもよいし、四角形以外の多角形であってもよい。
また、第１、第２実施形態では、中間部規制部４０の折返部４２（図３（ａ））が台形状である場合について説明したが、例えば、矩形状であってもよい。
また、第１、第２実施形態では、挿入孔４１ｈの径を、瓶２０の肩部２３ａと首部２３ｂとの境界における瓶２０の外径と略等しくする場合について説明したが（図４、図７参照）、挿入孔４１ｈの径は、瓶２０の中間部２３のうち軸線方向において任意の箇所の径に対応させることができる。
【００８６】
また、第１、第２実施形態では、正方形状の規制部４１（図３（ａ）参照）の四辺それぞれに折返部４２が連続して設けられる場合について説明したが、これに限らない。例えば、規制部４１の一対の対辺のみに、２つの矩形状の折返部４２を設けてもよい。
【００８７】
また、第１、第２実施形態では、瓶２０と接触して中間部規制部４０の下方移動が規制された状態において、折返部４２の上端が箱体１０の開口端に略一致するように、折返部４２の外側端と規制部４１の縁部との距離を設定する場合について説明したが、これに限らない。すなわち、瓶２０と接触して中間部規制部４０の下方移動が規制された状態において、折返部４２の上端が箱体１０の開口端よりも下方に位置してもよい。
【００８８】
また、第１、第２実施形態では、箱体１０に底部保持部３０Ａ，３０Ｂ、瓶２０、及び中間部規制部４０を順次収容した状態において、箱体１０の上蓋１６と瓶２０の王冠２６との間に所定の隙間を設ける場合について説明したが（図４、図７参照）、これに限らない。すなわち、前記収容状態において、箱体１０の上蓋１６の裏面（天井面）に瓶２０の王冠２６が当接するようにしてもよい。これによって、瓶保持体１Ａ，１Ｂ及び瓶２０を収容した箱体１０を段積みしても、上からの重力に対し瓶２０の王冠２６部分で垂直抗力が生じるため、箱体１０の上蓋１６の変形を防止することができる。
【００８９】
また、第１実施形態では、図２（ａ）に示すように、支持部３１を両側から挟むように２つの規制部３２，３３が連続する場合について説明したが、これに限らない。例えば、一方の規制部３３に連続する規制部を追加し、底部保持部３０Ａを折り畳んだ状態において規制部が三層以上の多層構造となるようにしてもよい。これによって、瓶２０の底部２１が径方向に移動することをより確実に防止できる。
ちなみに、底部保持部３０Ａの規制部を一層分としてもよい。
【００９０】
また、底部保持部３０Ｃを展開した状態で支持部３１の一方側のみにおいて複数の規制部が連続する構成としてもよい。例えば、図８に示すように、支持部３１の一方側に三つの規制部３２Ｃ，３３Ｃ，３４Ｃを連続して設け、順次折り畳むようにしてもよい。この場合において底部保持部３０Ｃは、上下方向において三層分の規制部３２Ｃ，３３Ｃ，３４Ｃが積層される。
【００９１】
また、第１実施形態では、底部保持部３０Ａを折り畳んだ状態で、その縁部のうち切欠部３１ｐ，３２ｐ，３３ｐ以外の部分が箱体１０の内側面に当接する場合について説明したが（図１参照）、これに限らない。すなわち、切欠部３１ｐ，３２ｐ，３３ｐを省略し、底部保持部３０Ａの縁部全てを箱体１０の内側面に当接させる構成としてもよい。
【００９２】
また、第２実施形態では、図５（ａ）に示すように、規制部３６を両側から挟むように２つの支持部３７，３８が連続する場合について説明したが、これに限らない。すなわち、折り畳んだ状態で支持部が三層以上の多層構造となるようにしてもよい。
なお、支持部を一層分としてもよいし、底部保持部３０Ｂを展開した状態で規制部の一方側のみにおいて複数の支持部が連続する構成としてもよい。
【００９３】
また、第２実施形態では、底部保持部３０Ｂが折り畳まれて規制部３６と支持部３７，３８とが積層され、箱体１０の底に配置された状態において、規制部３６及び支持部３７の縁部全体が箱体１０の内側面に当接するように場合について説明したが、これに限らない。すなわち、底部保持部３０Ｂが箱体１０の底に配置された状態において、規制部３６及び支持部３７の縁部のうち少なくとも一部が箱体１０の内側面に当接するように構成してもよい。
【００９４】
また、第２実施形態では、支持部３７が係止片３７ｐを有し、支持部３８が支持片３８ｑを有する場合について説明したが、これに限らない。すなわち、他の位置に係止片又は支持片を追加してもよいし、係止片３７ｐ及び支持片３８ｑのうち一方又は両方を省略してもよい。
【００９５】
また、第２実施形態では、係止片３７ｐが支持部３７に設けられ、支持片３８ｑが支持部３８に設けられる場合について説明したが、これに限らない。すなわち、係止片及び／又は支持片を規制部３６側に設けてもよい。この場合において、係止片は、例えば、二層構造となっている支持部３７，３８の間に挟み込むようにしてもよいし、支持部３７の上面に接着させてもよい。
また、支持片（第２支持片）は、下側に折り返した状態において下端が支持部３７の上面に当接するように構成する。すなわち、規制部３６が、支持部３７の上面に端部が当接することによって規制部３６の下向きの変形を規制する支持片（第２支持片）を有する構成としてもよい。
【００９６】
また、第１、第２実施形態は、適宜組み合わせることができる。例えば、図２（ａ）に示す底部保持部３０Ｂの展開図において、支持部３１と規制部３２との接続箇所の上下方向中央に矩形状の孔部を形成するとともに、規制部３３の前端部に切込みを入れてもよい。この場合において、規制部３２を紙面手前側に折り返してできる切欠部（前記した孔部に対応）に、係止片（前記した切込みに対応）を嵌め込む。
これによって、接着材を用いることなく折り畳み状態を保つことができ、コスト及び手間を軽減することができる。
【００９７】
また、図２（ａ）に示す底部保持部３０Ａの展開図において、支持部３１と規制部３２との間、及び、支持部３１と規制部３３との間に、長辺の長さが支持部３１の一辺の長さに略等しい矩形状の連接部を設けてもよい。この場合において底部保持部３０Ａを折り畳むと、支持部３１と規制部３２との間に所定の隙間が設けられため、瓶２０の径方向の移動がより確実に規制される。なお、この場合においても規制部３３の上面が、瓶２０の胴部２２に貼り付けられたラベル２５よりも下方に位置すべきことはいうまでもない。
【符号の説明】
【００９８】
１Ａ，１Ｂ  瓶保持体
１０  箱体
１６  上蓋（蓋）
２０  瓶
２１  底部
２２  胴部
２３  中間部
２４  頭部
２５  ラベル
３０Ａ，３０Ｂ  底部保持部
３１  支持部
３２，３３  規制部（第１規制部）
３２ｈ，３３ｈ  挿入孔（第１挿入孔）
３６  規制部（第１規制部）
３６ｈ  挿入孔（第１挿入孔）
３６ｐ  切欠部
３７，３８  支持部
３７ｐ  係止片
３７ｑ  切欠部
３８ｑ  支持片（第１支持片）
３９ａ，３９ｂ  連接部
４０  中間部規制部
４１  規制部（第２規制部）
４１ｈ  挿入孔（第２挿入孔）
４２  折返部
【図１】
2014101131.tif 000003
【図２】
2014101131.tif 000004
【図３】
2014101131.tif 000005
【図４】
2014101131.tif 000006
【図５】
2014101131.tif 000007
【図６】
2014101131.tif 000008
【図７】
2014101131.tif 000009
【図８】
2014101131.tif 000010